【手続補正書】
【提出日】平成20年10月30日(2008.10.30)
【手続補正１】
【補正対象書類名】特許請求の範囲
【補正対象項目名】全文
【補正方法】変更
【補正の内容】
【特許請求の範囲】
【請求項１】
ペット用の出入り口を有する側面パネル本体と、上記出入り口を開閉可能に上記側面パネル本体に軸支された扉とを有して構成した側面パネルを備えたペット用ケージであって、
上記扉をロックするスライドロック部材とスライド規制部を、上記扉に備え、
上記スライド規制部は、扉面を含む面上おいて上記扉の周端部よりも外側へ突出、或いは、内側へ退避するよう上記スライドロック部材をスライド可能に構成し、
上記スライドロック部材は、上記側面パネル本体側に扉全閉状態において係止可能な扉全閉状態係止部を備えるとともに、扉全開状態において係止可能な扉全開状態係止部を備えた
ペット用ケージ。
【請求項２】
上記スライドロック部材を上記扉の周縁部よりも外側へ付勢させる付勢手段を、上記扉と上記スライドロック部材との間に備えた
請求項１に記載のペット用ケージ。
【請求項３】
上記スライド規制部を、上記扉に対して一体に形成するとともに、該扉側から上記側面パネル本体における上記出入り口の縁部側へ当接可能に突出させて形成した
請求項１、又は、請求項２に記載のペット用ケージ。
【請求項４】
扉全開状態にするとき上記側面パネル本体へ当接する上記スライドロック部材に、上記側面パネル本体に当接することにより、扉面の内側方向へ上記スライドロック部材をスライドさせる第一案内部を形成した
請求項１から請求項３のうちいずれか１項に記載のペット用ケージ。
【請求項５】
扉全閉状態にするとき上記側面パネル本体へ当接する上記スライドロック部材に、上記側面パネル本体に当接することにより、扉面の内側方向へ上記スライドロック部材をスライドさせる第二案内部を形成した
請求項１から請求項４のうちいずれか１項に記載のペット用ケージ。
【請求項６】
上記スライドロック部材を、上記扉全開状態係止部を備えた第一スライドロック構成部材と、上記扉全閉状態係止部を備えた第二スライドロック構成部材との一対の部材で構成し、
上記第一スライドロック構成部材と上記第二スライドロック構成部材とを、それぞれ扉面に対して一方の側、他方の側で対向させて一体に構成し、
上記付勢手段が自然長の状態、或いは、伸張した状態のいずれの状態でも内部に該付勢手段を格納する付勢手段格納部を、上記スライドロック部材に備えた
請求項１から請求項５のうちいずれか１項に記載のペット用ケージ。
【請求項７】
上記扉全開状態係止部を備えた係止用部材を、上記スライドロック部材における扉全閉状態のとき表側となる部分から突状に構成した
請求項１から請求項６のうちいずれか１項に記載のペット用ケージ。
【手続補正２】
【補正対象書類名】明細書
【補正対象項目名】全文
【補正方法】変更
【補正の内容】
【発明の詳細な説明】
【発明の名称】ペット用ケージ
【技術分野】
【０００１】
この発明は、犬や猫などのペットを収容しておくためのペット用ケージに関し、さらに詳しくは、側面パネルに有するペット出入り口を開閉するために枢支された扉をロックするロック機構を備えたペット用ケージに関する。
【背景技術】
【０００２】
ペット用ケージは、ペットを内部に収容しておくため、扉を閉めた扉全閉状態でロックしておくロック機構を備えたものが普及している。
【０００３】
ところが、従来のペット用ケージは、扉を開いた扉全開状態においては、側面パネルに軸支された扉はロックされていないため、不用意に扉が揺動するなどして、内部を掃除する際に邪魔になることや、扉が側面パネルに接触することにより耳障りな音が生じてしまうといった難点を有していた。
【０００４】
このため、このような扉全開状態においても、扉をロックしておくことのできるロック機構を備えたペット用ケージが例えば、特許文献１において開示されている。
【０００５】
特許文献１におけるペット用ケージは、一対のロック部材（３１，３２）を備えている。  
具体的に、上記一対のロック部材（３１，３２）における一方のロック部材（３１）は、前面パネル（２１）の横桟にツメ（３３）を上向きにして設けられている。これに対して他方のロック部材（３２）は、扉（２１ａ）の横桟にツメ（３４）を下向きにして設けられている。
【０００６】
特許文献１におけるペット用ケージは、上述したように一対のロック部材（３１，３２）どうしを係止させて扉をロックする構成であるため、必然的に、前面パネル等からツメ（３３，３４）が積極的に飛び出した形態で形成する必要がある。
【０００７】
このため、特許文献１におけるペット用ケージは、前面パネル等から突き出したツメ（３３，３４）が邪魔になる、ケガの要因になる、さらには、見栄えも悪くなるといった難点を有してしまう。
【０００８】
なお、特許文献１には、このような難点に対してこれらツメ（３３，３４）をヒンジ（２１ｃ）の近傍に設けるといった工夫についても開示されているが、このように形成した場合、扉全閉状態のロック部材と全開状態でのロック部材とを別々に設ける必要があり、コストも高くなるといった難点を有することになる。
【０００９】
【特許文献１】特開２００２−５１６６１号公報
【発明の開示】
【発明が解決しようとする課題】
【００１０】
そこでこの発明は、扉が全開状態でも全閉状態のいずれの状態でも扉を側面パネル本体にロックすることができることは勿論、ロックするための係止用の部材が邪魔にならず、安全であり、扉を側面パネル本体に確実にロックすることができるロック機構を備えたペット用ケージの提供することを目的とする。
【課題を解決するための手段】
【００１１】
本発明のペット用ケージは、ペット用の出入り口を有する側面パネル本体と、上記出入り口を開閉可能に上記側面パネル本体に軸支された扉とを有して構成した側面パネルを備えたペット用ケージであって、上記扉をロックするスライドロック部材とスライド規制部を、上記扉に備え、上記スライド規制部は、扉面を含む面上おいて上記扉の周端部よりも外側へ突出、或いは、内側へ退避するよう上記スライドロック部材をスライド可能に構成し、上記スライドロック部材は、上記側面パネル本体側に扉全閉状態において係止可能な扉全閉状態係止部を備えるとともに、扉全開状態において係止可能な扉全開状態係止部を備えたことを特徴とする。
【００１２】
なお、扉全閉状態とは、ペット用の出入り口が閉塞されるまで略完全に扉を閉めた状態、すなわち、扉と側面パネル本体とが略面一となる状態を示す。さらに、扉全開状態とは、該扉の表面側と対向する側面パネル本体に扉が当接するまで扉を開けた状態を示す。
【００１３】
また、本発明のペット用ケージは、上記スライドロック部材を上記扉の周縁部よりも外側へ付勢させる付勢手段を、上記扉と上記スライドロック部材との間に備えて構成することが好ましい。
【００１４】
上記構成により、ペットが内部で動いて例えば、側面パネルが振動した場合であっても、付勢バネの付勢力により、上記スライドロック部材が上記扉の扉面における外側へ突出した位置へと付勢し、扉全開状態、或いは、扉全閉状態において扉をしっかりとロックした状態に維持することができる。
【００１５】
さらに、扉をロックする際、上記スライドロック部材をいちいちスライドさせなくても、付勢バネの付勢力により、扉をロック可能な上記扉の扉面における外側へ突出した位置までスライドさせることができる。
【００１６】
従って、請求項２記載のペット用ケージは、扉を強固にロックしつつ、扉のロック、或いは、解除の操作を容易に行うことができる。
【００１７】
上記付勢手段は、バネ、或いは、ゴム紐などの弾性部材により形成することができる。
【００１８】
上記スライド規制部は、上記扉に対して一体に形成するとともに、該扉側から上記側面パネル本体における上記出入り口の縁部側へ当接可能に突出させて形成することが好ましい。
【００１９】
上記構成により、扉全閉状態まで扉を閉めたとき、側面パネル本体におけるペット出入り口の縁部側へ当接するため、ペット用ケージ本体の外側に有する扉が内部へと入り込むことを物理的に防ぐことができる。さらに、いちいち側面パネル本体に対して扉全閉状態における扉の位置決めをする必要もなく、扉を全閉状態において容易にロックすることができる。
【００２０】
また、本発明のペット用ケージは、扉全開状態にするとき上記側面パネル本体へ当接する上記スライドロック部材に、上記側面パネル本体に当接することにより、扉面の内側方向へ上記スライドロック部材をスライドさせる第一案内部を形成した構成であることが好ましい。
【００２１】
上記構成により、扉全開状態にするとき上記スライドロック部材における第一案内部が上記側面パネル本体へ当接する。これにより、第一案内部は、自動的に上記スライドロック部材をスライドさせて、自動的に扉を全開状態にロックすることができる。
【００２２】
さらにまた、扉全閉状態にしたとき上記側面パネル本体へ当接する上記スライドロック部材に、上記側面パネル本体に当接することにより、扉面の内側方向へ上記スライドロック部材をスライドさせる第二案内部を形成した構成であることが好ましい。
【００２３】
上記構成により、扉全閉状態にしたとき上記スライドロック部材における第二案内部が上記側面パネル本体へ当接する。これにより、第二案内部は、自動的に上記スライドロック部材をスライドさせて、自動的に扉を全閉状態にロックすることができる。
【００２４】
また、上記第一案内部は、扉全開状態にするときにおいて、或いは、上記第二案内部は、扉全閉状態にするときにおいて、それぞれ上記スライドロック部材が上記側面パネル本体へ当接する部位に、テーパ状、或いは、Ｒを付した（弧状の）形態で形成することができる。
【００２５】
また、本発明のペット用ケージは、上記スライドロック部材を、上記扉全開状態係止部を備えた第一スライドロック構成部材と、上記扉全閉状態係止部を備えた第二スライドロック構成部材との一対の部材で構成し、上記第一スライドロック構成部材と上記第二スライドロック構成部材とを、それぞれ扉面に対して一方の側、他方の側で対向させて一体に構成し、上記付勢手段が自然長の状態、或いは、伸張した状態のいずれの状態でも内部に該付勢手段を格納する付勢手段格納部を、上記スライドロック部材に備えて構成することが好ましい。
【００２６】
上記構成により、上記スライドロック部材を、少なくとも２部材に分割して構成しているため、上記付勢手段を内部に備えることができ、外観の見栄えを良好に形成することができる。
【００２７】
殊に、扉全閉状態において第一スライドロック構成部材を、扉面に対して表面側に備えるとともに、第二スライドロック構成部材を扉面に対して裏面側に備えることが好ましい。
【００２８】
この構成により、上記扉全開状態係止部、上記扉全閉状態係止部は、それぞれ扉が全開状態、全閉状態において側面パネル本体と対向する側に設けることができるため、上記スライドロック部材をコンパクトに構成することができる。
【００２９】
また、本発明のペット用ケージは、上記扉全開状態係止部を備えた係止用部材を、上記スライドロック部材における扉全閉状態のとき表側となる部分から突状に構成することが好ましい。
【発明の効果】
【００３０】
本発明のペット用ケージは、上記スライドロック部材をスライドさせることにより、扉全閉状態において側面パネル本体に扉全閉状態係止部を係止させて扉を全閉状態にロックすることができる。さらに、扉全開状態において扉全開状態係止部を係止させて扉を全開状態にロックすることもできる。  
このように扉が全閉状態、全開状態のいずれの状態においても、上記スライドロック部材をスライドさせることにより、扉をロックすることができる。
【００３１】
さらに、本発明のペット用ケージは、上述したようにスライドさせることにより、扉をロックする上記スライドロック部材を備えた構成であり、例えば、側面パネルから突き出した一対のツメなどの係止用の部材同士を係止させる構成ではないため、安全であり、該係止用の部材が邪魔にならないといった効果を得ることができる。
【００３２】
しかも、このように上記スライド規制部に対して上記スライドロック部材をスライドさせてロックする構成であるため、例えば、突き出したツメどうしを互いに当接させて係止する構成と異なり、強固にロックすることができるという効果も得ることができる。
【発明を実施するための最良の形態】
【００３３】
この発明の一実施形態を以下図面と共に説明する。  
本実施形態におけるペット用ケージ１０は、図１に示すような外観形状により構成している。
【００３４】
本実施形態におけるペット用ケージ１０は、犬や猫などのペットを側方から包囲可能な大きさに全体が横長の平面視矩形状に構成している。上記ペット用ケージ１０は、複数枚のパネル状の柵体１１（フェンス）を備え、さらに詳しくは、前面、背面、右側面、左側面のそれぞれを構成する前面柵体１１Ａ、前背面柵体１１Ｂ、右側面柵体１１Ｃ、左側面柵体１１Ｄを備えている。
【００３５】
上記各柵体１１は、鋼製の線材１２を上下方向に複数、配した縦線材１２ａ…と、該縦線材１２ａに対して横方向に交差させた数本の横線材１２ｂ…とで一体に構成している。
【００３６】
さらに、上記各柵体１１は、Ｌ字型をした樹脂製の連結部材１３（ジョイント部材）により連結され、一体に構成している。
【００３７】
上記前面柵体１１Ａは、図２に示すように構成し、ペットが出入り可能に開口したペット出入り口１４を有する前面柵体本体１９と、該ペット出入り口１４を閉口するための扉１６とを備えて構成している。
【００３８】
上記ペット出入り口１４は、前面柵体本体１９における幅方向の中央よりも正面視左側に設けている。さらに、上記ペット出入り口１４の周縁部には、線材１２により閉口状に構成した出入り口枠部１５を備えている。  
なお、上記出入り口枠部１５は、正面視すると上下方向に縦長の長方形状をした全体の上部を半円弧状とした全体形状で形成している。
【００３９】
また、上記扉１６は、出入り口枠部１５の正面視右側部位においてヒンジ１７を介して軸支され、前面柵体１１Ａの外側において回動自在に構成している。  
なお、上記扉１６も、鋼製の線材１２により柵状に構成し、その中央部における適宜の線材１２には、耐水性のネームプレート２２が固着されている。
【００４０】
そして、上記前面柵体１１Ａには、扉１６を前面柵体本体１９側へロックしておくための扉ロック機構が設けられている。  
上記扉ロック機構は、図３から図６に示すように、上記扉１６の幅方向における上記ヒンジ１７の有する側の端部と反対側の縁部で、かつ、扉１６の上下方向における略中間部に構成されている。さらに、扉ロック機構は、樹脂製のスライドロック部材２３と、該スライドロック部材２３をスライド可能に規制するスライドロック規制部２４とを備えて構成している。  
なお、図３は、スライドロック部材２３の外観図であり、図４（ａ）から（ｄ）は、それぞれ図２におけるＡ−Ａ線矢視図、Ｂ−Ｂ端面図、Ｃ−Ｃ線矢視図、Ｄ−Ｄ端面図である（図２の要部拡大図参照）。図５、図６は、それぞれペット用ケージ１０の外側、内側から視たスライドロック部材２３の構成説明図である。
【００４１】
具体的に、まず、上記スライドロック規制部２４は、図３、及び、図４（ａ），（ｂ）に示すように、互いに平行に横架させた２本の線材２４ａ，２４ｂから構成している。さらに、上記スライドロック規制部２４は、その先端部２４Ａ、すなわち、扉面の外側方向における端部を、出入り口枠部１５よりも外側へ突出させ、前面柵体本体１９側へと屈曲させた後で上下２本の各線材２４ａ，２４ｂを互いに一体に連結した形態で形成している。
【００４２】
一方、スライドロック部材２３は、図３、図４（ｄ）に示すように、扉面の内側から前面柵体本体１９側へ突き出す方向、或いは、前面柵体本体１９側から扉面の内側へ退避する方向へスライド自在に上記スライドロック規制部２４に係合されている。
【００４３】
ここで、本実施形態においては、スライドロック部材２３が扉面の内側から外側（前面柵体本体１９側）へ突き出す方向を、扉ロック方向（Ｌ方向）に設定するとともに、扉面の外側（前面柵体本体１９側）から内側へ退避する方向を扉ロック解除方向（Ｏ方向）に設定するものとする。
【００４４】
さらに、図４（ｂ），（ｄ）、図５、図６に示すように、スライドロック部材２３の内部には、該スライドロック部材２３自体を、常時、扉ロック方向へと付勢しておく付勢バネ１８を備えている。これにより、スライドロック部材２３を、常時、扉面の外側に有する前面柵体本体１９側の位置で待機させることができる。
【００４５】
また、上記スライドロック部材２３は、ペット用ケージ１０の外側（扉１６の表側）に配した外側スライドロック構成部材２６と、ペット用ケージ１０の内側（扉１６の裏側）に配した内側スライドロック構成部材２５との一対の部材を備えて構成している。外側スライドロック構成部材２６と内側スライドロック構成部材２５とは、図３に示すように、それぞれ扉１６に対して外内各側において対向配置された状態で一体に構成している。
【００４６】
さらに、外側スライドロック構成部材２６は、外側スライドロック本体構成部材２７と係止用部材２８との２部材を備えて構成している。係止用部材２８は、外側スライドロック本体構成部材２７の外側の面上から突片状に突き出した状態で一体に取付いている。
【００４７】
ところで、上記内側スライドロック構成部材２５における先端部は、図４（ａ），（ｂ）に示すように、扉全閉状態において上記出入り口枠部１５の内側から係止可能な係止部３２を有して構成している。  
ここで、上記内側スライドロック構成部材２５の上記係止部３２は、扉１６が全閉状態において係止されるため、当該係止部３２を扉全閉状態係止部３２に設定するとともに、上記出入り口枠部１５における上記扉全閉状態係止部３２に係止される部位を、扉全閉状態被係止部３３に設定する。
【００４８】
さらに、図４（ａ），（ｂ）、図７に示すように、上記外側スライドロック構成部材２６における上記係止用部材２８は、扉全閉状態において、その扉ロック方向の端部側から扉ロック解除方向へ切り欠いた形態の係止部３４を有している。この係止部３４は、後で詳述するが扉全開状態において前面柵体本体１９側へ係止することができるため、当該係止部３４を扉全開状態係止部３４に設定する。
【００４９】
また、係止用部材２８の扉全閉状態におけるロック解除方向の隅部には、面取りを施してテーパ状に形成している。この係止用部材２８におけるテーパ状に形成した隅部は、後で詳述するが扉全開状態とする際に前側柵体本体１９に当接するため、当該隅部を当接部２０に設定する。
【００５０】
続いて、スライドロック部材２３の内部構成について説明する。上記スライドロック部材２３は、図４（ｂ），（ｄ）、図５、図６に示すように、その幅方向における中央部に、付勢バネ１８を格納するための空間を備えたバネ格納部３５を形成している。上記バネ格納部３５における扉ロック解除方向の端部には、バネ格納部３５に格納した付勢バネ１８の長さ方向の一端を係止するバネ係止用突部３６を突設している（図４（ｂ）、図６参照）。
【００５１】
さらに、スライドロック部材２３における幅方向の両端側、すなわち、上記スライドロック規制部２４の幅間に相当する部位には、該スライドロック規制部２４の上記一対の線材１２をガイドする溝状のガイド部３７を形成している（図４（ｄ）、図５参照）。
【００５２】
また、図４（ｄ）、図５、図６に示すように、上記スライドロック部材２３の幅方向におけるバネ格納部３５とガイド部３７との間には、取付け部３８が形成されている。  
上記取付け部３８は、上記内側スライドロック構成部材２５と上記外側スライドロック構成部材２６（上記外側スライドロック本体構成部材２７と係止用部材２８）を一体に取り付けるための凹状の嵌合用凹部３８ａと、凸状の嵌合用凸部３８ｂから構成している。
【００５３】
具体的に、内側スライドロック構成部材２５には、一方の取付け部３８として嵌合用凹部３８ａが形成されている（図４（ｄ）、図５参照）。  
これに対して、外側スライドロック本体構成部材２７、及び、係止用部材２８には、他方の取付け部３８として、上記内側スライドロック構成部材２５の各嵌合用凹部３８ａに嵌め込み可能な上記嵌合用凸部３８ｂが突設されている（図４（ｄ）、図６参照）。
【００５４】
さらに、上記外側スライドロック本体構成部材２７の外面側には、係止用部材２８の嵌合用凸部３８ｂを連通可能とする連通孔４２が形成されている。
【００５５】
上記構成により、上記外側スライドロック本体構成部材２７の外側（上記内側スライドロック構成部材２５と対向する側と反対側）から係止用部材２８の嵌合用凸部３８ｂを連通孔４２に挿通することにより、外側スライドロック本体構成部材２７と係止用部材２８とを一体に取り付けることができる。
【００５６】
そして、付勢バネ１８の長さ方向における一方の端部を扉１６の外枠を構成する外周フレーム１６ａに係止するとともに、他方の端部を上記バネ係止用突部３６に係止し、バネ格納部３５内において付勢バネ１８を張架させた状態で格納し、外側スライドロック構成部材２６と内側スライドロック構成部材２５を一体化している。
【００５７】
以上が本実施形態におけるペット用ケージ１０の構成であり、以下、本実施形態におけるペット用ケージ１０が奏する作用、効果について説明する。  
まず、ペット出入り口１４を扉１６により完全に閉じた扉全閉状態とし、さらに、扉１６をロックした状態から扉１６を開ける手順について説明する。
【００５８】
扉１６を全閉状態にロックした状態においては、スライドロック部材２３の上記扉全閉状態係止部３２が上記扉全閉状態被係止部３３に係止した状態となる（図３、図４（ａ），（ｂ）参照）。このため、扉１６が回動することを物理的に規制したロック状態にすることができる。
【００５９】
このような状態から扉１６を開くには、図７（ａ），（ｂ）中の矢印に示すように、利用者は、スライド方向における扉ロック方向の端部側で待機しているスライドロック部材２３を、付勢バネ１８の付勢力に抗してロック解除方向へスライドさせる。
【００６０】
すると、扉全閉状態係止部３２により係止されていた扉全閉状態被係止部３３の係止を解除することができる。よって、扉１６をヒンジ１７の有する部位を回動軸として、平面視したとき反時計まわりへ回動させて開けることができる。
【００６１】
ここで、係止用部材２８は、スライドロック部材２３の表面から突き出した形態であるため、扉全閉状態において上述したように扉１６のロックを解除する際に、利用者は、係止用部材２８をつまむことができ、スライドロック部材２３を容易にスライドさせることができる。
【００６２】
なお、利用者がスライドロック部材２３を把持していた手を離すと、バネの付勢力によりスライドロック部材２３は、自発的にもとの待機位置、すなわち、扉ロック方向へスライドするが、上述したように扉１６のロックは、既に解除されているため、一旦、扉１６のロックが解除されれば問題なく扉１６を開けることができる。
【００６３】
そして、扉１６を、全閉状態から略１８０度回動させたとき、図８（ａ），（ｂ）、図９に示すように、前面柵体本体１９に略対向した扉全開状態とすることができる。  
なお、図８（ａ），（ｂ）は、それぞれ扉全開状態におけるペット用ケージ１０の外側、内側から視たスライドロック部材２３の説明図である。
【００６４】
このとき、スライドロック部材２３における上記係止用部材２８の扉全開状態係止部３４は、図８（ａ），（ｂ）に示すように、前面柵体本体１９を構成する縦方向に配した所定の線材１２ａを係止した状態となる。これにより、扉１６は、全開状態においても、その状態に維持されるよう前面柵体本体１９に対してロックされることになる。
【００６５】
ここで、上記所定の線材１２ａにおける上記係止用部材２８の扉全開状態係止部３４に係止される部位を、扉全開状態被係止部４４に設定する。
【００６６】
以下、上述したような扉開状態で扉１６がロックされるまでの扉を開ける手順について説明する。  
扉１６が全開状態になるまで回動させていくと、図１０（ａ）に示すように、スライドロック部材２３が前面柵体本体１９における上記扉全開状態被係止部４４に当接する。さらに詳しくは、スライドロック部材２３の上記被係止用部材２８に有するテーパ状の上記当接部２０が上記扉全開状態被係止部４４に当接することになる。  
このように、スライドロック部材２３は、扉１６が略全開されたとき、当接部２０が上記扉全開状態被係止部４４に当接することにより、図１０（ｂ）に示すように、物理的に付勢バネ１８の付勢力に抗して一時的に扉面の内側へスライド案内されることになる。
【００６７】
よって、スライドロック部材２３は、一時的にロック解除方向へ退避するが、当接部２０が上記扉全開状態被係止部４４から離間することで、付勢バネ１８の付勢力により、再び上記扉全開状態被係止部４４を係止可能な位置にまでスライドする（図９の要部拡大図参照）。  
以上により、本実施形態のペット用ケージ１０は、例えば、該ペット用ケージ１０の内部を清掃する際や、ペットの出入りが自在な状態に扉１６を全開状態でロックしておくことができる。
【００６８】
また、上述したように当接部２０を備えることにより、利用者は、扉１６をロックする前にスライドロック部材２３を把持して自ら扉ロック解除方向へスライドさせる必要もなく、扉１６を全開状態にまで回動させると、上述したように自動的にスライドロック部材２３がスライドして扉１６をロックすることができる。
【００６９】
なお、扉１６を上述した全開状態から逆にロックを解除する手順については、図示しないが、まず、扉全開状態においてスライドロック部材２３を、スライド方向における扉ロック方向側の端部側から付勢バネ１８の付勢力に抗してロック解除方向へスライドさせる。その状態で、扉１６を、平面視時計回り、すなわち、前面柵体本体１９から離間する手前側に回動させることで扉１６のロックを解除することができる。
【００７０】
最後に扉１６が開いた状態から上述したように扉１５を全閉状態とし、その状態にロックする手順について図１１を用いて説明する。  
利用者は、扉１６を開いた状態から全閉状態になる手前側まで回動させたとき、図１１（ａ）中の矢印に示すように、付勢バネ１８の付勢力に抗してスライドロック部材２３を扉ロック解除方向へスライドさせる。この状態で扉１６を全閉状態にまで閉めた後、利用者がスライドロック部材２３から手を離せば、図１１（ｂ）の矢印に示すように、付勢バネ１８の付勢力によりスライドロック部材２３は、扉ロック方向へスライドする。これにより、上記スライドロック部材２３の上記扉全閉状態係止部３２が上記扉全閉状態被係止部３３に係止し、図２、図３に示したように扉１６を全閉状態でロックすることができる。
【００７１】
なお、扉１６を閉める際に、扉１６のスライドロック規制部２４の先端部２４Ａが出入り口枠部１５に当接して扉１６が全閉した状態で位置決めすることができる。このため、利用者は、扉１６を閉める際に扉１６を全閉状態で意図的に扉１６の回動を停止して位置決めする必要もなく、また、扉１６を回動させすぎて扉１６が出入り口へ入り込んでしまうこともない。
【００７２】
また、他の実施形態におけるスライドロック部材５１について図１２を用いて説明する。  
但し、以下で説明するスライドロック部材５１の構成のうち、上述したスライドロック部材２３と同様の構成については、同一の符号を付して、その説明を省略する。
【００７３】
本実施形態におけるスライドロック部材５１には、図１２（ａ），（ｂ），（ｃ）に示すように、扉１６を全閉した状態でロックする際にも、扉１６を閉める動作に伴って自動的にロックするためにスライドロック部材５１を案内する当接部５０を備えて形成してもよい。
【００７４】
具体的に、上記当接部５０は、内側スライドロック構成部材５５における、扉全閉状態に達するまで扉１６を回動させたとき上記扉全閉状態被係止部３３と当接する部位に、扉ロック方向から扉ロック解除方向へ除々に突出したテーパ面を有した形態で形成している（図１２（ａ）参照）。
【００７５】
これにより、扉１６を全閉状態にする際に、図１２（ａ）に示すように、上記当接部５０が上記扉全閉状態被係止部３３に当接する。これにより、図１２（ｂ）に示すように、付勢バネ１８の付勢力に抗して一時的に扉ロック解除方向へ係止可能な位置にまでスライドロック部材５１をスライド案内させることができる。  
そして、扉全閉状態としたとき、当接部５０が扉全閉状態被係止部３３と離間し、付勢バネ１８の付勢力によりスライドロック部材５１は、再度、扉ロック方向へスライドする。これにより、図１２（ｃ）に示すように、扉１６を自動的に全閉状態にロックすることができる。
【００７６】
また、上述した実施形態と、この発明の構成との対応において、この実施形態の前面柵体１１Ａは、この発明の側面パネルに対応し、以下同様に、
前面柵体本体１９は、側面パネル本体に対応し、
付勢バネ１８は、付勢手段に対応し、
上記スライドロック規制部２４の先端部２４Ａは、上記スライド規制部における突出させて設けた部位に対応し、
当接部２０は、第一案内部に対応し、
当接部５０は、第二案内部に対応し、
外側スライドロック構成部材２６は、第一スライドロック構成部材に対応し、
内側スライドロック構成部材２５，５５は、第二スライドロック構成部材に対応するも、
この発明は、上述の実施形態の構成のみに限定されるものではなく、多くの実施の形態を得ることができる。
【図面の簡単な説明】
【００７７】
【図１】本実施形態におけるペット用ケージの外観図。
【図２】本実施形態におけるペット用ケージにおける前面柵体の正面図。
【図３】本実施形態におけるペット用ケージの要部の外観図。
【図４】本実施形態におけるペット用ケージの要部の構成説明図。
【図５】本実施形態におけるペット用ケージの要部の構成説明図。
【図６】本実施形態におけるペット用ケージの要部の構成説明図。
【図７】本実施形態におけるペット用ケージの要部の作用説明図。
【図８】本実施形態におけるペット用ケージの扉を全開状態でロックした様子を示す外観図。
【図９】本実施形態におけるペット用ケージの扉を全開状態でロックした様子を平面視して示した作用説明図。
【図１０】本実施形態におけるペット用ケージの扉全開状態でロックする際の作用説明図。
【図１１】本実施形態におけるペット用ケージの扉全閉状態でロックする際の作用説明図。
【図１２】他の実施形態におけるペット用ケージの説明図。
【符号の説明】
【００７８】
１０…ペット用ケージ
１１Ａ…前面柵体
１９…前面柵体本体
１４…ペット出入り口
１６…扉
１８…付勢バネ
２０，５０…当接部
２３，５１…スライドロック部材
２４…スライドロック規制部
２５，５５…内側スライドロック構成部材
２６…外側スライドロック構成部材
３２…扉全閉状態係止部
３４…扉全開状態係止部
【手続補正３】
【補正対象書類名】図面
【補正対象項目名】全図
【補正方法】変更
【補正の内容】
【図１】
2008178366.tif 000001
【図２】
2008178366.tif 000002
【図３】
2008178366.tif 000003
【図４】
2008178366.tif 000004
【図５】
2008178366.tif 000005
【図６】
2008178366.tif 000006
【図７】
2008178366.tif 000007
【図８】
2008178366.tif 000008
【図９】
2008178366.tif 000009
【図１０】
2008178366.tif 000010
【図１１】
2008178366.tif 000011
【図１２】
2008178366.tif 000012